(57)【要約】【課題】異常通知時に対象者の状況を把握することができる監視システムを提供する。【解決手段】見守り監視装置１０は、対象者端末３０の位置が設定された行動範囲外になると異常を検知する異常検知部２３と、異常検知部２３によって異常が検知されると、異常監視モードへの切替を指示する異常監視通知を対象者端末３０及び見守り者端末５０に送信し、対象者端末３０から異常監視モードの解除を依頼する解除入力を受信すると、異常監視モードの解除を指示する解除通知を対象者端末３０及び見守り者端末５０に送信するモード切替部２４と、対象者端末３０の位置を異常監視モードの見守り者端末５０に送信する第２位置追跡部２２とを備え、対象者端末３０は、異常監視モードにおいて、解除入力を受け付け、受け付けた解除入力を見守り監視装置１０に送信する解除受付部を備える。【選択図】図３
2019204300.tif 000002
【特許請求の範囲】
【請求項１】
対象者が所持する対象者端末と、前記対象者端末の位置を監視する見守り監視装置と、前記対象者を見守る見守り者が所持する見守り者端末とがネットワークによって接続されている監視システムであって、
前記見守り監視装置は、
前記対象者端末の位置が設定された行動範囲外になると異常を検知する異常検知部と、
前記異常検知部によって異常が検知されると、異常監視モードへの切り替えを指示する異常監視通知を前記対象者端末及び前記見守り者端末に送信し、前記対象者端末から前記異常監視モードの解除を依頼する解除入力を受信すると、前記異常監視モードの解除を指示する解除通知を前記対象者端末及び前記見守り者端末に送信するモード切替部と、
前記対象者端末の位置を前記異常監視モードの前記見守り者端末に送信する位置追跡部と、を具備し、
前記対象者端末は、
前記異常監視モードにおいて、前記解除入力を受け付け、受け付けた前記解除入力を前記見守り監視装置に送信する解除受付部を具備し、
前記見守り端末は、
前記異常監視モードにおいて、前記見守り監視装置から受信した前記対象者端末の位置を出力する追跡情報出力部を具備することを特徴とする監視システム。
【請求項２】
前記見守り監視装置は、
前記対象者端末から受信した前記解除入力を認証する認証部を具備し、
前記モード切替部は、前記解除入力が前記認証部によって認証されると、前記解除通知を前記対象者端末及び前記見守り者端末に送信することを特徴とする請求項１記載の監視システム。
【請求項３】
前記モード切替部は、前記解除通知と共に前記対象者端末からの前記解除入力を前記見守り者端末に送信することを特徴とする請求項１又は２記載の監視システム。
【請求項４】
前記解除受付部は、撮影部によって顔データを前記解除入力として受け付けることを特徴とすることを特徴とする請求項３記載の監視システム。
【請求項５】
前記解除受付部は、音声入力部によって音声データを前記解除入力として受け付けることを特徴とすることを特徴とする請求項３又は４記載の監視システム。
【発明の詳細な説明】
【技術分野】
【０００１】
本発明は、見守り対象者を位置情報に基づいて監視する監視システムに関する。
【背景技術】
【０００２】
近年、携帯電話やスマートフォン等の携帯端末には、ＧＰＳ（Global Positioning System）機能や、アクセスポイントとの無線通信機能が搭載されている。そこで、高齢者や年少者等の見守り対象者に携帯端末を所持してもらうことで、見守り者が見守り対象者を位置情報に基づいて監視する技術が提案されている（例えば、特許文献１、２参照）。
【先行技術文献】
【特許文献】
【０００３】
【特許文献１】特開２０１４−１４６９９９号公報
【特許文献２】特開２０１５−１１４８６３号公報
【発明の概要】
【発明が解決しようとする課題】
【０００４】
しかしながら、従来技術では、見守り対象者の状況を把握できないという問題点があった。すなわち、見守り者は、位置情報に基づく異常通知があっても、状況を能動的に確認することが難しい。そして、異常通知があっても、実際には問題がない場合が大半である。従って、見守りの立場として、異常通知が煩わしくなり、徐々に異常通知を見なくなる虞がある。
【０００５】
本発明は、上記問題点を鑑みてなされたものであり、その目的とするところは、異常通知時に対象者の状況を把握することができる監視システムを提供することを目的とする。
【課題を解決するための手段】
【０００６】
本発明の監視システムは、対象者が所持する対象者端末と、前記対象者端末の位置を監視する見守り監視装置と、前記対象者を見守る見守り者が所持する見守り者端末とがネットワークによって接続されている監視システムであって、前記見守り監視装置は、前記対象者端末の位置が設定された行動範囲外になると異常を検知する異常検知部と、前記異常検知部によって異常が検知されると、異常監視モードへの切替を指示する異常監視通知を前記対象者端末及び前記見守り者端末に送信し、前記対象者端末から前記異常監視モードの解除を依頼する解除入力を受信すると、前記異常監視モードの解除を指示する解除通知を前記対象者端末及び前記見守り者端末に送信するモード切替部と、前記対象者端末の位置を前記異常監視モードの前記見守り者端末に送信する位置追跡部と、を具備し、前記対象者端末は、前記異常監視モードにおいて、前記解除入力を受け付け、受け付けた前記解除入力を前記見守り監視装置に送信する解除受付部を具備し、前記見守り端末は、前記異常監視モードにおいて、前記見守り監視装置から受信した前記対象者端末の位置を出力する追跡情報出力部を具備することを特徴とする。
【発明の効果】
【０００７】
本発明によれば、解除入力の有無によって、例外的な状況なのか、本当に異常な状態なのかを見極めることができるため、異常通知時に対象者の状況を把握することができるという効果を奏する。
【図面の簡単な説明】
【０００８】
【図１】本発明に係る監視システムの実施の形態の概略構成を示すシステム構成図である。
【図２】図１に示すアクセスポイントの設置例を示す図である。
【図３】図１に示す見守り監視装置の構成を示すブロック図である。
【図４】図１に示す対象者端末及び見守り者端末の構成を示すブロック図である。
【図５】図１に示す見守り監視装置の動作を説明するフローチャートである。
【発明を実施するための形態】
【０００９】
以下、図を参照して本発明の実施の形態を詳細に説明する。なお、以下の実施形態において、同様の機能を示す構成には、同一の符号を付してある。
【００１０】
本実施の形態の監視システムは、図１を参照すると、見守り監視装置１０と、対象者端末３０と、見守り者端末５０とがインターネット等のネットワーク６０によって接続されている。本実施の形態の監視システムでは、対象者端末３０を高齢者や年少者（例えば、児童）等の見守りの対象者に所持してもらい、対象者端末３０の位置を対象者の位置として、見守り監視装置１０によって見守り監視する。
【００１１】
また、ネットワーク６０には、対象者端末３０と無線通信が可能な複数のアクセスポイント（以下、ＡＰと称す）７０１〜７０ｎが接続されている。ＡＰ７０１〜７０ｎは、ＷｉＦｉ、Ｂｌｕｅｔｏｏｔｈ（登録商標）等の通信距離が制限された公衆ＷｉＦｉアクセスポイント等の通信機器であり、図２に示すように、街中に設置されている。図２には、学校、塾、公園の周辺に、ＡＰ７０１〜７０１０が設置された例が示されている。
【００１２】
見守り監視装置１０は、サーバー等の情報処理装置である。見守り監視装置１０は、クラウドコンピューティングサービス上に構築された仮想サーバーで構成しても良い。見守り監視装置１０は、図２を参照すると、ネットワーク部１１と、記憶部１２と、制御部１３とを備えている。
【００１３】
ネットワーク部１１は、ネットワーク６０を介して、対象者端末３０、見守り者端末５０及びＡＰ７０１〜７０ｎと各種データを送受信する機能を有する。
【００１４】
記憶部１２は、半導体メモリーやＨＤＤ（Hard Disk Drive）等の記憶手段である。
記憶部１２には、ポイント位置情報１４と、行動範囲情報１５と、見守り者情報１６と、認証情報１７とが登録されている。
【００１５】
ポイント位置情報１４は、ＡＰ７０１〜７０ｎのそれぞれの設置場所を示す情報（例えば、緯度経度）である。
【００１６】
行動範囲情報１５は、対象者毎の行動範囲（例えば、通学ルート等）を示す情報であり、対象者毎の行動範囲は、対象者端末３０の端末ＩＤと紐づけられている。行動範囲は、緯度経度で規定されるポイントを頂点や中心とする多角形や円形の領域で設定される。なお、行動領域は、時間帯や曜日毎に変化させることができる。図２には、対象者Ａの自宅から学校までの通学ルートが行動範囲Ｘとして設定された例が示されている。そして、ＡＰ７０１〜７０４が対象者Ａの行動範囲Ｘの内側に、ＡＰ７０４〜７０１０が対象者Ａの行動範囲Ｘの外側に設置されている。
【００１７】
見守り者情報１６は、見守り者の連絡先を示す情報であり、対象者端末３０の端末ＩＤと紐づけられて、見守り者端末５０の端末ＩＤが登録されている。
【００１８】
認証情報１７は、対象者端末３０を操作する操作者が対象者本人であるか否かを認証するための情報である。認証情報１７としては、指紋認証を行うための指紋データ、顔認証を行うための顔データ、音声認証を行うための音声データ、キーワードやＰＩＮ(Personal Identification Number)コードが設定されている。
【００１９】
制御部１３は、ネットワーク部１１及び記憶部１２にそれぞれ接続され、見守り監視装置１０全体の動作制御を実行する。制御部１３は、ＣＰＵ（Central Processing Unit）、ＲＯＭ（Read Only Memory）、ＲＡＭ（Random Access Memory）等を備えたマイクロコンピュータ等の演算処理回路である。ＲＯＭには見守り監視装置１０の動作制御を行うための制御プログラムが記憶されている。制御部１３のＣＰＵは、ＲＯＭに記憶されている制御プログラムを読み出し、制御プログラムをＲＡＭに展開させることで、第１位置追跡部２１、第２位置追跡部２２、異常検知部２３、モード切替部２４、計測部２５及び認証部２６として機能する。
【００２０】
第１位置追跡部２１は、対象者端末３０とＡＰ７０１〜７０ｎとの間の無線通信に基づいて、対象者端末３０の位置を追跡する。すなわち、ＡＰ７０１〜７０ｎは、無線通信が確立した対象者端末３０の端末ＩＤを見守り監視装置１０に送信し、第１位置追跡部２１は、ポイント位置情報１４を参照することで、対象者端末３０と無線通信が確立したＡＰ７０１〜７０ｎの設定位置を、対象者端末３０の位置として把握する。
【００２１】
第２位置追跡部２２は、対象者端末３０から受信した端末位置情報に基づいて、対象者端末３０の位置を追跡する。
【００２２】
異常検知部２３は、第１位置追跡部２１によって追跡される対象者端末３０の位置と、行動範囲情報１５に登録されている行動範囲とに基づいて、対象者端末３０が行動範囲外に位置すると判断すると、異常を検知する。
【００２３】
モード切替部２４は、異常検知部２３によって異常が検知されると、対象者端末３０及び見守り者端末５０に対して、異常監視モードへの切り替えを指示する異常監視通知を送信する。
【００２４】
計測部２５は、異常検知部２３によって異常が検知されると、第２位置追跡部２２によって追跡される対象者端末３０の位置に基づいて、対象者端末３０の移動距離（道のり、直線距離）、異常が検知されてからの経過時間を計測する。
【００２５】
認証部２６は、対象者端末３０から受信した解除入力と、認証情報１７とを対照することで、対象者端末３０での解除入力が対象者によるものか否かを判断する。
【００２６】
対象者端末３０は、携帯電話、スマートフォン、タブレット端末、ＰＤＡ（Personal Digital Assistant）等の位置検出機能を有する携帯端末であり、見守りの対象者に所持してもらう端末である。対象者端末３０は、図４を参照すると、カメラ等の撮影部３１と、表示部及び入力部として機能するタッチパネル等の操作部３２と、マイク等の音声入力部３３と、スピーカー等の音声出力部３４と、ＧＰＳ通信部３５と、無線通信部３６と、ネットワーク部３７と、制御部３８とを備えている。
【００２７】
ＧＰＳ通信部３５は、ＧＰＳ衛星からの電波を利用して現在位置（緯度経度）を定期的に検出する機能を有する。
【００２８】
無線通信部３６は、ＡＰ７０１〜７０ｎと無線通信を行う機能を有する。無線通信部３６は、定期的にＡＰ７０１〜７０ｎとの通信を試み、通信が確立したＡＰ７０１〜７０ｎに対し、対象者端末３０の端末ＩＤを送信する。
【００２９】
ネットワーク部３７は、ネットワーク６０を介して、見守り監視装置１０と各種データを送受信する機能を有する。
【００３０】
制御部３８は、撮影部３１、操作部３２、音声入力部３３、音声出力部３４、ＧＰＳ通信部３５、無線通信部３６及びネットワーク部３７にそれぞれ接続され、対象者端末３０全体の動作制御を実行する。制御部３８は、ＣＰＵ（Central Processing Unit）、ＲＯＭ（Read Only Memory）、ＲＡＭ（Random Access Memory）等を備えたマイクロコンピュータ等の演算処理回路である。ＲＯＭには対象者端末３０の動作制御を行うための制御プログラムが記憶されている。制御部３８のＣＰＵは、ＲＯＭに記憶されている制御プログラムを読み出し、制御プログラムをＲＡＭに展開させることで、位置情報送信部３９及び解除受付部４０として機能する。
【００３１】
見守り者端末５０は、携帯電話、スマートフォン、タブレット端末、ＰＤＡ（Personal Digital Assistant）等の位置検出機能を有する携帯端末であり、対象者の行動を見守る身守り者に所持してもらう端末である。見守り者端末５０は、図４を参照すると、表示部及び入力部として機能するタッチパネル等の操作部５１と、ネットワーク部５２と、制御部５３とを備えている。
【００３２】
ネットワーク部５２は、ネットワーク６０を介して、見守り監視装置１０と各種データを送受信する機能を有する。
【００３３】
制御部５３は、操作部５１及びネットワーク部５２にそれぞれ接続され、見守り者端末５０全体の動作制御を実行する。制御部５３は、ＣＰＵ（Central Processing Unit）、ＲＯＭ（Read Only Memory）、ＲＡＭ（Random Access Memory）等を備えたマイクロコンピュータ等の演算処理回路である。ＲＯＭには見守り者端末５０の動作制御を行うための制御プログラムが記憶されている。制御部５３のＣＰＵは、ＲＯＭに記憶されている制御プログラムを読み出し、制御プログラムをＲＡＭに展開させることで、追跡情報出力部５４として機能する。
【００３４】
次に、本実施の形態の監視システムによる見守り動作について図５を、見守り者端末５０を所持する見守り者Ｂが見守る例について説明する。見守り監視装置１０の記憶部１２に記憶されている行動範囲情報１５、見守り者情報１６及び認証情報１７において、行動範囲情報１５には対象者Ａの行動範囲Ｘが、見守り者情報１６には対象者Ａが所持する対象者端末３０の端末ＩＤに紐づけされた見守り者Ｂが所持する見守り者端末５０の端末ＩＤが、認証情報１７には対象者Ａを認証するためのデータがそれぞれ登録されている。
【００３５】
見守り監視装置１０の制御部１３は、第１位置追跡部２１として機能し、ＡＰ７０１〜７０ｎからの端末ＩＤの受信を待機している（ステップＳ１０１）。
【００３６】
ステップＳ１０１で端末ＩＤが通知される、第１位置追跡部２１は、ポイント位置情報１４を参照することで、端末ＩＤが通知したＡＰ７０１〜７０ｎの設置位置を対象者端末３０現在位置として把握する（ステップＳ１０２）。
【００３７】
次に、制御部１３は、異常検知部２３として機能し、ステップＳ１０２で把握された対象者端末３０の現在位置が対象者Ａの行動範囲Ｘ外か否かを判断する（ステップＳ１０３）。図２に示す例では、ＡＰ７０１〜７０４と無線通信が確立した対象者端末３０は、行動範囲Ｘ内と判断され、ＡＰ７０４〜７０１０と無線通信が確立した対象者端末３０は、行動範囲Ｘ外と判断される。
【００３８】
ステップＳ１０３で行動範囲Ｘ内である場合、ステップＳ１０１に戻る。
【００３９】
ステップＳ１０３で行動範囲Ｘ外である場合、異常検知部２３は、異常を検知し（ステップＳ１０４）、制御部１３は、モード切替部２４、第２位置追跡部２２及び計測部２５として機能する。モード切替部２４は、異常監視モードへの切り替えを指示する異常監視通知を対象者端末３０及び見守り者端末５０に送信し（ステップＳ１０５）、第２位置追跡部２２は、ＧＰＳによる対象者端末３０の位置追跡を、計測部２５は、計測をそれぞれ開始する（ステップＳ１０６）。
【００４０】
また、異常検知部２３は、同じ端末ＩＤが所定時間に亘って受信されないケースを監視し（ステップＳ１０７）、同じ端末ＩＤが所定時間に亘って受信されない場合も、ステップＳ１０４に至って異常を検知する。
【００４１】
異常監視通知を受信した対象者端末３０の制御部３８は、異常監視モードに切り替え、操作部３２への表示や音声出力部３４からの音声出力によって異常監視モードに切り替ったことを報知する。そして、異常監視モードにおいて、制御部３８は位置情報送信部３９及び解除受付部４０として機能する。
【００４２】
位置情報送信部３９は、ＧＰＳ通信部３５によって検出された現在位置を見守り監視装置１０に送信する。すなわち、異常検知モードでは、無線通信部３６とＡＰ７０１〜７０ｎとの無線通信による位置追跡から、ＧＰＳ通信部３５による位置追跡に切り替わる。これによって、ＡＰ７０１〜７０ｎの数自体を減らすことが可能となり、行動範囲Ｘ外であっても継続して対象者端末３０の追跡が可能になる。
【００４３】
ステップＳ１０６で計測部２５による計測を開始すると、見守り監視装置１０の制御部１３は、対象者端末３０からの現在位置の受信と（ステップＳ１０８）、対象者端末３０からの解除入力の受信とを待機する（ステップＳ１０９）。
【００４４】
ステップＳ１０８で現在位置を対象者端末３０から受信すると、第２位置追跡部２２は、対象者端末３０の現在位置を把握すると共に（ステップＳ１１０）、異常検知部２３として機能して、ステップＳ１１０で把握した対象者端末３０の現在位置が対象者Ａの行動範囲Ｘ外か否かを判断する（ステップＳ１１１）。
【００４５】
ステップＳ１１１で行動範囲Ｘ外である場合、第２位置追跡部２２は、対象者端末３０の現在位置を、計測部２５は、計測結果をそれぞれ見守り者端末５０に送信し（ステップＳ１１２）、ステップＳ１０８に戻る。
【００４６】
異常監視通知を受信した見守り者端末５０の制御部５３は、追跡情報出力部５４として機能する。追跡情報出力部５４は、見守り者端末５０を異常監視モードに切り替え、操作部５１への表示や図示しない音声出力部からの音声出力によって異常監視モードに切り替ったことを報知する。そして、異常監視モードにおいて、追跡情報出力部５４は、第２位置追跡部２２が把握した対象者端末３０の現在位置と計測部２５の計測結果とを見守り監視装置１０から受信して操作部５１に表示する。これにより、見守り者端末５０では、異常監視モードで対象者端末３０の現在位置を逐次確認することができる。また、計測部２５の計測結果として、対象者端末３０の移動距離（道のり、直線距離）と、異常が検知されてからの経過時間とを把握することができるため、緊急度を簡単に把握することができる。
【００４７】
ステップＳ１１１で行動範囲Ｘ内である場合、モード切替部２４は、異常監視モードの解除通知を対象者端末３０及び見守り者端末５０に送信し（ステップＳ１１３）、ステップＳ１０１に戻る。
【００４８】
解除通知を受信した対象者端末３０の制御部３８と、解除通知を受信した見守り者端末５０の制御部５３とは、異常監視モードを解除して通常のモードに戻す。
【００４９】
また、対象者端末３０の解除受付部４０は、撮影部３１と、操作部３２と、音声入力部３３とのいずれかもしくは複数から異常監視モードの解除を依頼する解除入力を受け付け、受け付けた解除入力を見守り監視装置１０に送信する。解除入力は、見守り監視装置１０の記憶部１２に記憶されている認証情報１７と対照するデータ（顔データ、音声データ、指紋データ、キーワードやＰＩＮコード）である。解除受付部４０は、撮影部３１によって対象者の顔データや指紋データを解除入力として受け付け、音声入力部３３によって対象者の音声データを解除入力として受け付ける。また、解除受付部４０は、操作部３２によってキーワードやＰＩＮコード解除入力として受け付ける。
【００５０】
ステップＳ１０９で対象者端末３０からの解除入力を受信すると、制御部１３は認証部２６として機能し、対象者端末３０から受信した解除入力と、認証情報１７とを対照することで、認証ＯＫか否か、すなわち対象者端末３０での解除入力が対象者によるものか否かを判断する（ステップＳ１１４）。
【００５１】
ステップＳ１１４で認証ＯＫの場合には、ステップＳ１１３に至って異常監視モードの解除通知を対象者端末３０及び見守り者端末５０に送信する。なお、この場合、見守り者端末５０には、解除通知と共に解除入力も送信すると良い。例えば、解除入力が顔データや音声データである場合、見守り者端末５０で解除入力を出力することで、見守り者は、対象者によって異常監視モードか解除されたことを認識することができ、安心することができる。
【００５２】
ステップＳ１１４で認証ＯＫでない場合には、制御部１３は、見守り者端末５０に認証エラーと共に解除入力を送信し（ステップＳ１１５）、ステップＳ１０８に戻って異常監視モードを継続する。この場合、見守り者端末５０で解除入力を出力することで、見守り者は、どのような解除入力で解除エラーになったのかを把握することができ、危険度を判断することができる。
【００５３】
なお、解除入力による異常監視モードの解除後も、対象者端末３０が行動範囲内に戻るまで、第２位置追跡部２２による対象者端末３０の位置追跡と、計測部２５による計測とを継続させても良い。この場合、行動範囲を出てからの移動距離（道のり、直線）が予め設定された閾距離を越えた場合や、行動範囲外にいる時間が予め設定された閾時間を超えた場合に、再び異常監視モードに切り替え、再度安否確認を求めることができる。
【００５４】
また、異常監視モードが解除入力によって解除されなかった場合、対象者端末３０及び見守り者端末５０への通知の頻度（より頻繁に）や通知方法（より大きな音での出力を指示）を変えても良い。
【００５５】
以上説明したように、本実施の形態によれば、対象者が所持する対象者端末３０と、対象者端末３０の位置を監視する見守り監視装置１０と、対象者を見守る見守り者が所持する見守り者端末５０とがネットワーク６０によって接続されている監視システムであって、見守り監視装置１０は、対象者端末３０の位置が設定された行動範囲外になると異常を検知する異常検知部２３と、異常検知部２３によって異常が検知されると、異常監視モードへの切替を指示する異常監視通知を対象者端末３０及び見守り者端末５０に送信し、対象者端末３０から異常監視モードの解除を依頼する解除入力を受信すると、異常監視モードの解除を指示する解除通知を対象者端末３０及び見守り者端末５０に送信するモード切替部２４と、対象者端末３０の位置を異常監視モードの見守り者端末５０に送信する第２位置追跡部２２とを備え、対象者端末３０は、異常監視モードにおいて、解除入力を受け付け、受け付けた解除入力を見守り監視装置１０に送信する解除受付部４０を備え、見守り者端末５０は、異常監視モードにおいて、見守り監視装置１０から受信した対象者端末３０の位置を出力する追跡情報出力部５４を備えている。
この構成により、解除入力の有無によって、例外的な状況なのか、本当に異常な状態なのかを見極めることができるため、異常通知時に対象者の状況を把握することができる。
【００５６】
さらに、本実施の形態において、見守り監視装置１０は、対象者端末３０から受信した解除入力を認証する認証部２６を具備し、モード切替部２４は、解除入力が認証部２６によって認証されると、解除通知を対象者端末３０及び見守り者端末５０に送信する。
この構成により、解除入力が対象者によるものか否かを判断することができる。
【００５７】
さらに、本実施の形態において、モード切替部２４は、解除通知と共に対象者端末３０からの解除入力を見守り者端末５０に送信する。
この構成により、解除入力によって対象者の状況を把握することができる。
【００５８】
さらに、本実施の形態において、解除受付部４０は、撮影部３１によって顔データを解除入力として受け付ける。
この構成により、顔データによって対象者の状況を把握することができる。
【００５９】
さらに、本実施の形態において、音声入力部３３によって音声データを解除入力として受け付ける。
この構成により、音声データによって対象者の状況を把握することができる。
【００６０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００６１】
１０  見守り監視装置
１１  ネットワーク部
１２  記憶部
１３  制御部
１４  ポイント位置情報
１５  行動範囲情報
１６  見守り者情報
１７  認証情報
２１  第１位置追跡部
２２  第２位置追跡部
２３  異常検知部
２４  モード切替部
２５  計測部
２６  認証部
３０  対象者端末
３１  撮影部
３２  操作部
３３  音声入力部
３４  音声出力部
３５  ＧＰＳ通信部
３６  無線通信部
３７  ネットワーク部
３８  制御部
３９  位置情報送信部
４０  解除受付部
５０  見守り者端末
５１  操作部
５２  ネットワーク部
５３  制御部
５４  追跡情報出力部
６０  ネットワーク
７０１〜７０ｎ  アクセスポイント（ＡＰ）
【図１】
2019204300.tif 000003
【図２】
2019204300.tif 000004
【図３】
2019204300.tif 000005
【図４】
2019204300.tif 000006
【図５】
2019204300.tif 000007